【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
添数付きのデジタル加入者回線（以下、「ＤＳＬ」）データを処理するために、第１の角度と、第２の角度と、第１の添数と、第２の添数とを取得することと、
前記第１の添数に基づいて前記添数付きＤＳＬデータから第１のオリジナルデータエントリを取得することと、
前記第２の添数に基づいて前記添数付きＤＳＬデータから第２のオリジナルデータエントリを取得することと、
前記第１の角度と前記第２の角度とに基づいて前記第１のオリジナルデータエントリと前記第２のオリジナルデータエントリの複素回転を算出することにより、第１の回転されたデータエントリと第２の回転されたデータエントリを生成することと、
前記添数付きＤＳＬデータ内の前記第１のオリジナルデータエントリを、前記第１の回転されたデータエントリで置換することと、
前記添数付きＤＳＬデータ内の前記第２のオリジナルデータエントリを、前記第２の回転されたデータエントリで置換することと、
を備える方法。
【請求項２】
前記複素回転を算出することが、ＤＳＬデータの送信の前にＱ行列を実現することと、ＤＳＬデータの受信後にＱ＊行列を実現すること、または
【数１】
2008541595.tif 000001
を実現するために必要なステップを実行すること、の少なくとも１つを備える請求項１に記載の方法。
【請求項３】
前記第１の回転されたデータエントリと第２の回転されたデータエントリを生成することが、
上部位置に前記第１のオリジナルデータエントリと、下部位置に前記第２のオリジナルデータエントリとを備える２次元オリジナル列ベクトル（以下、「２Ｄ−ＯＣＶ」）を生成し、前記第１および第２のオリジナルデータエントリの各々は、実数部と虚数部とを有する複素数を備えることと、
前記第１の角度を使用して第１の実回転を前記２Ｄ−ＯＣＶの前記実数部に適用し、上部位置と下部位置とを備える２次元中間列ベクトル（以下、「２Ｄ−ＩＣＶ」）を生成し、前記２Ｄ−ＩＣＶの上部位置は第１の中間データエントリの実数部を含み、前記２Ｄ−ＩＣＶの下部位置は第２の中間データエントリの実数部を含み、
前記第１の角度を使用して第２の実回転を前記２Ｄ−ＯＣＶの前記虚数部に適用し、上部位置と下部位置とを備える第２の２Ｄ−ＩＣＶを生成し、前記第２の２Ｄ−ＩＣＶの上部位置は第１の中間データエントリの虚数部を含み、前記第２の２Ｄ−ＩＣＶの下部位置は第２の中間データエントリの虚数部を含み、
前記第１の回転されたデータエントリを生成するために、前記第１の中間データエントリを選択することと、
前記第２の回転されたデータエントリを生成するために、前記第２の角度を使用して第３の実回転を前記第２の中間データエントリに適用することと、
を備える請求項１に記載の方法。
【請求項４】
前記添数付きＤＳＬデータがベクトルＤＳＬ離散マルチトーン（ＤＭＴ）エンコーダ内のデータを備える請求項１に記載の方法。
【請求項５】
ルックアップテーブルから前記第１の角度の正弦と余弦を抽出することによって、前記第１の角度の正弦と余弦を決定することと、
前記ルックアップテーブルから前記第２の角度の正弦と余弦を抽出することによって、前記第２の角度の正弦と余弦を決定することと、をさらに備える、
請求項１に記載の方法。
【請求項６】
下り送信ベクトルで複数回請求項１の前記方法を実行すること、をさらに備え、
前記第１のオリジナルデータエントリと前記第２のオリジナルデータエントリの複素回転を算出することは、Ｈ行列を三角形にするために前記Ｈ行列内のエントリをゼロにする順番で前記複素回転を算出することを備える、請求項１に記載の方法。
【請求項７】
前記複素回転を算出することは、前記複素回転を前記H行列の列上で実行すること、あるいは前記複素回転を前記H行列の行上で実行することを備える、請求項６に記載の方法。
【請求項８】
前記第１の角度、前記第２の角度、前記第１の添数、及び前記第２の添数が、複素回転計算部から取得される請求項１に記載の方法。
【請求項９】
デジタル加入者回線（以下、「ＤＳＬ」）システムであって、
複素回転演算部を有するＤＳＬ装置と、
前記複素回転演算部に通信的に接続される複素回転計算部を備えるコントローラと、
を備え、
前記複素回転計算部が、
前記ＤＳＬ装置が動作するベクタリングされたチャネルのための行列多重入出力（ＭＩＭＯ）伝達関数を受信し、
Ｑ行列の複素形式を計算することにより、前記ベクタリングされたチャネルのＱＲ因数分解を実行し、前記Ｑ行列の複素形式が、前記複素回転演算部によって実現される一連の複素回転を有するギブンズ手段を備える、ＤＳＬシステム。
【請求項１０】
前記複素回転計算部が、前記複素回転演算部に連続複素回転計算のセットのそれぞれのための複数の実角度と１対の整数添数を与え、前記複素回転演算部が一連の実回転として各複素回転を実現し、複素出力を生成する、請求項９に記載のＤＳＬシステム。
【請求項１１】
前記複素回転演算部が、各複素回転を、上りの送信のデータ、または下りの送信のデータ、または両方に適用する、請求項９に記載のＤＳＬシステム。
【請求項１２】
前記複素回転演算部が、下りシステムでの逆高速フーリエ変換（ＩＦＦＴ）機能または上りシステムでの高速フーリエ変換（ＦＦＴ）機能、、または両方を実行する、請求項９に記載のＤＳＬシステム。
【請求項１３】
前記複素回転計算部が、前記複素回転演算部の演算能力に基づいて、前記複素回転演算部による使用にはあまりにも小さい値を含む、１つまたは複数の前記複素回転を削除する、請求項９に記載のＤＳＬシステム。
【請求項１４】
前記ＤＳＬ装置が前記コントローラを備える請求項９に記載のＤＳＬシステム。
【請求項１５】
前記コントローラは、前記ＤＳＬ装置とは別のＤＳＬ最適化装置の一部である請求項９に記載のＤＳＬシステム。
【請求項１６】
前記ＤＳＬ装置は、
デジタル加入者回線アクセス多重通信装置（ＤＳＬＡＭ）、
回線端末（ＬＴ）装置、
遠隔端末（ＲＴ）装置、または
モデム、
の１つを備える請求項９に記載のＤＳＬシステム。
【請求項１７】
デジタル加入者回線（以下、「ＤＳＬ」）データを処理する方法であって、
前記ＤＳＬデータを複素回転演算部に提供することと、
前記複素回転演算部に、
前記ＤＳＬデータ内で２つのデータポイントを識別する添数と、
一連の実回転を実行する際に用いられる複数の実角度と、を与えることと、
前記２つのデータポイントおよび複数の実角度を用いて、前記一連の実回転を実行することと、
を備える方法。
【請求項１８】
前記ＤＳＬデータが、
ベクタリングされるＤＳＬシステム内で使用されるデータ、
ＤＳＬシステム内で下りで送信される符号化されたユーザデータ、および
ＤＳＬシステム内の受信機で処理される受信データ
の少なくとも１つを含む請求項１７に記載の方法。
【請求項１９】
前記複素回転が、前記複素回転演算部によって実現される一連の複素回転を有するギブンズ手段を備えるＱ行列を実現する請求項１７に記載の方法。
【請求項２０】
デジタル加入者回線（以下、「ＤＳＬ」）データを処理する方法であって、
（１）前記ＤＳＬデータに関する複数のトーンのそれぞれについて、前記ＤＳＬデータの一部を複素回転演算部（以下、「ＣＲ演算部」）に提供するステップ、
（２）前記ＣＲ演算部に、前記ＤＳＬデータ内でデータポイントを識別するための添数と、一連の複素回転を実行する際に用いられる複数の実角度とを提供するステップ、
（３）前記ＣＲ演算部に、前記データポイントを提供するステップ、
（４）前記ＤＳＬデータ内にベクトル要素を含む複数のＤＳＬデータポイントのそれぞれについて、少なくとも２つの前記実角度を使用すること、および前記ベクトル要素上の少なくとも２つの前記添数を使用して、２×２複素回転を実行するステップ、
（５）ユニタリ行列入力の中に存在する複数の回転が完了するまで、前記（１）から（４）のステップを繰り返すステップ、そして
（６）前記ＤＳＬデータ内に存在する各トーンについて、前記（１）から（５）のステップを繰り返すステップ、
を備える方法。
【請求項２１】
前記ＣＲ演算部で、所定のゼロの範囲にある非ゼロ実角度値を有する複数の実角度の各々を無視するステップ、
をさらに備える請求項２０に記載の方法。
【請求項２２】
プロセッサーが実行することにより、前記プロセッサーに操作を行わせる命令が記憶されたコンピュータ読み取り可能な記録媒体であって、
前記操作は、
分析のためにデジタル加入者回線（以下、「ＤＳＬ」）データを受信すること、
複数のデータ添数を読み出し、前記データ添数に基づいて第１および第２のオリジナルデータエントリを前記ＤＳＬデータから取得し、
第１の実角度と第２の実角度とを、複素回転演算部（ＣＲ演算部）から取得し、
前記第１の角度と前記第２の角度とに基づいて前記第１のオリジナルデータエントリと前記第２のオリジナルデータエントリの複素回転を算出することにより、第１の回転されたデータエントリと第２の回転されたデータエントリを生成することと、
前記ＤＳＬデータ内の前記第１のオリジナルデータエントリを、前記第１の回転されたデータエントリで置換することと、
前記ＤＳＬデータ内の前記第２のオリジナルデータエントリを、前記第２の回転されたデータエントリで置換することと、を備える
コンピュータ読み取り可能な記録媒体。
【請求項２３】
分析のためにデジタル加入者回線（以下、「ＤＳＬ」）データを受信する手段と、
複数のデータ添数を読み出し、前記データ添数に基づいて第１および第２のオリジナルデータエントリを前記ＤＳＬデータから取得する手段と、
第１の実角度と第２の実角度とを、複素回転演算部（ＣＲ演算部）から取得する手段と、
前記第１の角度と前記第２の角度とに基づいて前記第１のオリジナルデータエントリと前記第２のオリジナルデータエントリの複素回転を算出することにより、第１の回転されたデータエントリと第２の回転されたデータエントリを生成する手段と、
前記ＤＳＬデータ内の前記第１のオリジナルデータエントリを、前記第１の回転されたデータエントリで置換する手段と、
前記ＤＳＬデータ内の前記第２のオリジナルデータエントリを、前記第２の回転されたデータエントリで置換する手段と、を備える
コンピュータ装置。